(57)【要約】【課題】  記録再生装置に備え付けのモニタのような小型画面上であっても現在どの記録媒体を選択しているのかをユーザに分かり易く示し、ユーザの利便性を向上させること。【解決手段】  ユーザが記録媒体を選択するスイッチ部と、スイッチ部の動作を判別するスイッチ判別部と、記録媒体の種別情報を表示する表示画面とを設け、ユーザにより選択された記録媒体の種類毎に表示画面の背景色を変えることにより、画面の背景色より現在選択している記録媒体の種類を判別可能にし、特にビデオカメラ等の一般的な表示手段である小型画面においても記録媒体の種類の判別が瞬時に行える。【選択図】  図１
2008300028.tif 000002
【特許請求の範囲】
【請求項１】
装着された複数種類の記録媒体に対してデータを記録、再生する記録再生装置において、
前記装着された複数種類の記録媒体の内から一つの記録媒体を選択する選択手段と、
前記選択手段により選択された記録媒体に対応する色を表示手段に表示させる手段とを備えたことを特徴とする記録再生装置。
【請求項２】
請求項１に記載の記録再生装置において、
表示手段の画面に表示させる画面表示信号を生成する表示画面生成手段と、
表示画面に表示する表示色を記録媒体の種類毎に設定してある表示色設定手段と、
前記選択手段による選択に基づいて、前記表示色設定手段で設定された表示色に従った画面表示信号を生成する表示画面生成手段とを備え、
前記画面表示信号を表示手段に送り、前記表示手段に表示させることを特徴とする記録再生装置。
【請求項３】
請求項２に記載の記録再生装置において、
前記表示画面生成手段は、静止画又は動画の縮小画像であるサムネイル画像が複数並び、背景の色が前記表示色設定手段で設定された表示色であるサムネイル画面を生成することを特徴とする記録再生装置。
【請求項４】
請求項１乃至３に記載の記録再生装置において、
前記複数種類の記録媒体には、光ディスクとカード型記録媒体が含まれることを特徴とする記録再生装置。
【請求項５】
装着された複数種類の記録媒体に対してデータを記録、再生する記録再生方法において、
前記装着された複数種類の記録媒体の内から一つの記録媒体を選択し、
前記選択された記録媒体に対応する色を表示手段に表示させることを備えたことを特徴とする記録再生方法。
【請求項６】
請求項５に記載の記録再生方法において、
静止画又は動画の縮小画像であるサムネイル画像が複数並び、背景の色が前記選択された記録媒体に対応する色であるサムネイル画面を前記表示手段に表示させることを特徴とする記録再生方法。
【請求項７】
請求項５又は６に記載の記録再生方法において、
前記複数種類の記録媒体には、光ディスクとカード型記録媒体が含まれることを特徴とする記録再生方法。
【発明の詳細な説明】
【技術分野】
【０００１】
本発明は、記録媒体に対してデータを記録、再生する記録再生技術に関し、特に、ユーザがデータの記録、再生を行うべく選択している記録媒体の種別の表示に関する技術である。
【背景技術】
【０００２】
近年、ＤＶＤ−ＲＡＭ、ＤＶＤ−Ｒ等を含む光ディスク、半導体メモリを利用したカード型記録媒体、ハードディスク、テープなどの複数種類の記録媒体を装着し、それぞれの記録媒体に動画像や静止画像等を記録・再生できる記録再生装置が各メーカより発表されている。これらの記録再生装置は、特徴の異なる複数種類の記録媒体を用いることで、それぞれの記録媒体の特徴を補完することができる。
【０００３】
この例としては、カード型記録媒体とテープとを記録媒体として利用するビデオカメラが挙げられる。カード型記録媒体は、小型・軽量かつパソコンに直接差し込むことでデータをパソコン内に取り込むことができ、パソコンとのデータの連携に優れるが、記録容量が小さいため、動画像に比べデータ量の少ない静止画像のみの撮影に適しており、動画像は撮影できても撮影時間が短い等という特徴を持つ。一方、テープは、パソコンに直接差し込むことができず、カード型記録媒体の場合と比べてパソコンとのデータの連携は難しくなるが、記録容量が大きいため長時間の動画撮影に適しているという特徴を持つ。この場合、長時間動画像を撮影する場合にはテープを記録媒体として使用し、撮影した画像をパソコンにデータとして取り込むときにはカード型記録媒体を記録媒体として使用することで、記録媒体の特徴を補完しあい、単一種類の記録媒体のみのビデオカメラと比べ、使い勝手がよくなる。
【０００４】
一般的に、このような複数種類の記録媒体を使用する記録再生装置は、ユーザが記録再生を行う記録媒体を選択するための切り替えスイッチを有する。通常、スイッチにより選択された記録媒体に対してのみ記録再生などの操作が有効になり、選択されていない記録媒体に関して操作を行う場合には、切り替えスイッチにより操作したい記録媒体を選択し直さなければならない。
【０００５】
従来技術では、このように複数種類の記録媒体を用いる記録再生装置では、記録再生装置の表示装置にアイコンを表示することで、現在選択している記録媒体の種類をユーザに示している。（例えば、特許文献１参照）
【特許文献１】特開２００２−２１６３４７号公報
【発明の開示】
【発明が解決しようとする課題】
【０００６】
複数種類の記録媒体に記録再生する機能を備えた記録再生装置では、ユーザが選択している記録媒体の種類によって記録再生の機能が大きく異なるため、現在どの記録媒体を選択しているのかをユーザに知らせることは非常に重要になる。
【０００７】
しかしながら上記特許文献１記載の従来技術では、画面の一部に表示されているアイコンから記録媒体の種類を判別することになるため、ビデオカメラなどの一般的に小型の画面のモニタを表示手段として持つ記録再生装置においては、小型の画面の一部に表示されているアイコンを探し、さらに小型の画面の一部に表示されているアイコンの形状から記録媒体の種類を判別しなければならないため、視認性が悪く、瞬時に記録媒体の判別がしにくい。
【０００８】
本発明の目的は、モニタのような小型画面上であっても現在どの記録媒体を選択しているのかをユーザに分かり易く示し、ユーザの利便性を向上させることができる記録再生技術を提供することにある。
【課題を解決するための手段】
【０００９】
上記課題を解決するために、本発明では、装着された複数種類の記録媒体に対してデータを記録、再生する記録再生技術において、装着された複数種類の記録媒体の内から一つの記録媒体を選択し、選択された記録媒体に対応する色を表示手段に表示させるようにする。
【００１０】
好ましくは、静止画又は動画の縮小画像であるサムネイル画像が複数並び、背景の色が選択された記録媒体に対応する色であるサムネイル画面を表示手段に表示させるようにする。
【００１１】
さらに好ましくは、複数種類の記録媒体には、光ディスクとカード型記録媒体が含まれるものとする。
【発明の効果】
【００１２】
本発明によれば、モニタのような小型画面上であっても現在どの記録媒体を選択しているのかをユーザに分かり易く示し、ユーザの利便性を向上させることができる。
【発明を実施するための最良の形態】
【００１３】
以下、本発明を適用した実施例として、記録媒体として光ディスクとカード型記録媒体という二種類の記録媒体を使用するカード型記録媒体搭載の光ディスク記録再生カメラ（以下「カメラ」と称す）を図１から図６を使用して説明する。本実施例では、カード型記録媒体（以下「カード」と称す）として半導体メモリを利用するものとする。また、光ディスク型記録媒体としては、リライタブル型光ディスクとしてＤＶＤ−ＲＡＭを、ライトワンス型の光ディスクとしてＤＶＤ-Ｒの両方を利用し、さらに、再生専用光ディスクであるＤＶＤビデオの再生にも対応する（以下これらの光ディスクをＤＶＤと称す）ものとする。
【００１４】
また、本実施例では、各記録媒体に記録されている画像データのサムネイル画像を各種情報と併せて複数表示する画面をナビ画面と称す。なお、サムネイルとは、動画あるいは静止画の縮小画像である。このナビ画面が各記録媒体における再生モード時の代表画面となるため、ナビ画面の背景色を記録媒体毎に変えることで、どちらの記録媒体に対する記録モード、再生モードなのかがユーザが分かり易いようになっている。よって、記録媒体が異なることを明確に示すために、記録媒体それぞれにおけるナビ画面の背景色には色調が大きく異なる色を採用するのが好ましく、本実施例では、光ディスク選択時のナビ画面の背景色を紫色、カード選択時のナビ画面の背景色を緑色として記録媒体の種類を区別できるようにするものとする。
【００１５】
図１において、撮像素子１は、撮影する画像を映像信号に変換する。映像信号処理部２は、撮像素子１からの映像信号をデジタル信号に変換するとともに各種の信号処理をする。デジタル映像圧縮部３は、デジタル信号の圧縮データを生成する。記録処理部４は、圧縮データ及び各種のデータを後述する記録媒体１０，１１に記録する。入力部５は、ボタン等で構成し、記録媒体１０，１１の記録、再生および各種入力操作の際に使用する。ナビ画面表示部６は、ボタン等で構成し、ナビ画面の表示に使用する。記録媒体切替部７は、スイッチ等で構成し、記録媒体１０，１１を選択する際に使用すると共に、電源オン/オフスイッチを兼ねている。制御部８は、ＣＰＵで構成し、記録媒体毎の表示色を設定してあり、記録媒体に従った表示色となるような画面表示用信号を生成するとともに、本カメラ全体を制御する。スイッチ判別部９は、制御部８を構成する一部であり、記録媒体切替部７がどの記録媒体を選択している状態にあるのかの判別を行う。
【００１６】
光ディスク１０、カード１１は着脱自在な記録媒体である。再生処理部１２は、光ディスク１０またはカード１１に記録されている画像データ、各種認識情報、管理情報等を再生する。サムネイル画面データ生成部１３は、再生処理部１２で得た光ディスク１０またはカード１１内の画像データまたは各種認識情報からサムネイル画像のデータを抽出及びサムネイル画像一覧表示用のデータを作成する。デジタル映像伸長部１４は、光ディスク１０またはカード１１に記録されている圧縮された画像データを伸長する。映像信号データ処理部１５は、デジタル映像伸長部１４からの伸長データ及びまたはサムネイル画面データ生成部１３からのデータをアナログ変換するとともに各種の信号処理をしてナビ画面を生成する。表示部１６は、モニタ等であり、アナログ変換された伸長データや生成されたナビ画面を表示する。ここで、表示部１６は本カメラではなく外部の表示装置でも構わない。
【００１７】
なお、映像信号処理部２、デジタル信号圧縮部３、デジタル映像伸長部１４、映像信号データ処理部１５、サムネイル画面データ生成部１３は、回路を用いてハードウエア的に処理を行う構成にしてもよいし、制御部８内にプログラムとして記憶されていて、ソフトウエア的に処理を行う構成にしてもよい。また、光ディスク１０に対する圧縮データ及び各種のデータの記録、再生には、記録処理部４、再生処理部１２として光ディスクドライブを用いる。カード１１に対する圧縮データ及び各種のデータの記録、再生には、記録処理部４、再生処理部１２として回路を用いる。
【００１８】
ここで、本実施例による、ユーザが記録媒体としてカードを選択した際のナビ画面表示までの処理手順の概要を説明する。外部記録媒体として光ディスク１０とカード１１が装着されている状態で、記録媒体切替部７がユーザによって記録媒体としてカード１１を選択するように操作された場合、スイッチ判別部９で記録媒体切替部７がどちらの記録媒体を選択しているかの判別を行う。その判別結果によりカード１１が選択されていることがわかる。
【００１９】
次に、ユーザがナビ画面を表示させるためにナビ画面表示部６を操作すると、制御部８の制御により、カード１１の各種認識情報中にサムネイル画像のデータがある場合は、サムネイル画面データ生成部１３は、再生処理部１２が再生したサムネイル画像データを元にサムネイル画像一覧表示用のサムネイル画面データを生成する。各種認識情報中にサムネイル画像のデータがない場合は、再生処理部１２が記録されている画像データを再生し、サムネイル画面データ生成部１３は、画像データ毎の先頭の画像を抽出する動作を所定の回数繰返すことで、サムネイル画像一覧表示用のサムネイル画面データを生成する。
【００２０】
この際、記録媒体としてカード１１が選択されているので、ナビ画面の背景用の表示色は、サムネイル画面データ生成部１３にてカード１１に対応する色として緑色に設定される。この後、作成されたサムネイル画面データは映像データ処理部１５によりアナログ変換されるとともにサムネイル画像と共に各種情報を加えて、表示部１６で背景色が緑色のナビ画面が表示される。
【００２１】
従って、ユーザは、カード１１であることを示すアイコンがナビ画面に表示されていなくても一目で現在カード１１を記録媒体として選択していることが分かるのでユーザの利便性が向上する。また、アイコンをナビ画面に表示する必要がなくなるので、アイコンを表示する領域を別の情報を表示する領域に流用したり、アイコン以外の別の情報を大きく表示できるようになってユーザの利便性が向上するという利点もある。
【００２２】
また、記録媒体切替部７で外部記録媒体として光ディスク１０がユーザに選択された場合も、ナビ画面表示をする際にはカード１１の場合と同様に、サムネイル画面データ生成部１３でナビ画面の背景用の表示色は、サムネイル画面データ生成部１３にて光ディスク１０に対応する色として紫色に設定される。従って、カード１１の場合と同様に、ユーザは、光ディスク１０であることを示すアイコンがナビ画面に表示されていなくても一目で現在光ディスク１０を記録媒体として選択していることが分かるのでユーザの利便性が向上する。
【００２３】
尚、この後、入力部５のカーソル釦や再生釦などの各種釦の操作して記録媒体切替部７で現在選択している記録媒体中の希望の映像を指定することにより、映像の再生を行い、表示部１６に表示させることができる。
【００２４】
次に、図２を利用して図１に示したカメラの、記録媒体選択からナビ画面表示までの処理手順について説明する。ステップ２０１で記録媒体切替部７が、光ディスク１０またはカード１１のどちらかが選択された状態になると、ステップ２０２に進み、スイッチ部９で記録媒体切替スイッチ部７が光ディスクとカードのどちらを選択しているのかを判別する。光ディスク１０が選択された場合には、ステップ２０３に進み、再生処理部４が光ディスク１０の有無、装着されている光ディスクの種類、ディスク残量等の判別を行う。光ディスク１０が記録再生可能な光ディスクであると判別された場合には、ステップ２０４で、撮像素子１からの撮影画像であるスルー画（以下スルー画と称す）に所定の情報を映像信号データ処理部１５で重畳した画像を表示部１６に表示して記録一時停止状態となり、ユーザの操作を待つ。なお、ステップ２０３で記録再生不可と判別された場合には、ステップ２０７に進み、記録再生不可の旨の警告が表示部１６に表示される。
【００２５】
ステップ２０４で記録一時停止状態後、ステップ２１２に進み、入力部５またはナビ画面表示部６が操作されたかを判断する。操作されていない場合は、ステップ２０４に戻り、記録一時停止状態を継続する。操作された場合には、ステップ２１３に進み、制御部８は、入力部５からの記録操作かナビ画面表示部６からのナビ画面操作かを判断する。
【００２６】
ナビ画面表示部６が操作された場合は、ステップ２０５に進み、表示部１６に背景色が紫色のナビ画面を表示する。なお、ナビ画面の生成方法は上述のとおりである。なお、図示していないが、この状態でもう一度ナビ画面表示ボタン６を押すと、ステップ２０４の記録一時停止状態に戻る。一方、入力部５から記録操作が行われた場合は、ステップ２０６に進み、記録処理部４が光ディスク１０へ圧縮データ及び各種のデータを記録する。
【００２７】
ステップ２０２に話を戻す。ステップ２０２でカード１１が選択された場合には、ステップ２０８に進み、再生処理部４は、カード１１の有無、カード１１の記録残量などの判別を行う。カード１１が記録再生可能なカードであると判別された場合には、ステップ２０９に進み、撮像素子１からのスルー画に所定の情報を重畳した画像を表示部１６に表示して記録一時停止状態となり、ユーザの操作を待つ。なお、ステップ２０８で記録再生不可と判別された場合には、ステップ２０７に進み、記録再生不可の旨の警告が表示される。
【００２８】
ステップ２０９で記録一時停止状態後、ステップ２１４で入力部５またはナビ画面表示部６が操作されたかを判断し、操作されていない場合はステップ２０９に戻り記録一時停止状態を継続する。操作された場合には、入力部５からの記録操作かナビ画面表示部６からのナビ画面表示操作かを判断する。ナビ画面表示部６が押されると、ステップ２１０に進み、表示部１６に背景色が緑色のナビ画面を表示する。なお、ナビ画面の生成方法は上述のとおりである。なお、図示していないが、この状態でもう一度ナビ画面表示部６を押すと、ステップ２０９の記録一時停止状態に戻る。一方、入力部５から記録操作が行われた場合は、ステップ２０６に進み、記録処理部４がカード１１へ圧縮データ及び各種のデータを記録する。
【００２９】
ステップ２０５での光ディスクのナビ画面表示とステップ２１０でのカードでのナビ画面表示では、背景色が紫色と緑色と大きく異なるため、ユーザはどちらの記録媒体のナビ画面が表示されているのかが一目でわかる。
【００３０】
ここで、スルー画表示の場合には表示部１６の画面全体に撮像素子１から撮像された画像が表示されるので、背景は存在しない。そこで、ステップ２０４、ステップ２０７、ステップ２０９でのスルー画表示の際には、スルー画に重畳する所定の情報として光ディスク１０またはカード１１といった記録媒体の種類を示すマーク、文字などを表示するようにしてもよい。さらに、制御部８に設定されている表示色を元に記録媒体の種類を示すマーク、文字等の色を変えるようにしてもよい。このようにすれば、スルー画表示の場合においても記録媒体の種類を容易に判別できるので、使い勝手が向上する。特にカメラでは記録のチャンスを逃さないことが重要であり、記録媒体が容易に判別できることは有効である。
【００３１】
次に、本発明により選択している記録媒体の種類により表示されるナビ画面の違いについて図３〜図６を使用して説明する。図３は、記録媒体として光ディスク１０を選択した際に、図２のステップ２０５で表示部１６に表示されるナビ画面を示す。図３において、ナビ画面３１は、現在の表示内容を表示する内容表示部３２、サムネイル画像３３（本図ではＡからＬまでの１２個ある）、選択しているサムネイル画像を示すカーソル位置表示部３４、選択している記録媒体の種類を示すマーク３５で構成されている。ナビ画面３１のうち、内容表示部３２、サムネイル画像３３（本図ではＡからＬまでの１２個ある）、カーソル位置表示部３４、マーク３５を除く網掛け部分がナビ画面の背景である。
【００３２】
図２のステップ２０２の判別結果から、選択されている記録媒体の種類は光ディスクと判別されるので、ナビ画面全体３１の背景色は紫色になり、記録媒体の種類マーク３５には光ディスクを示す紫色のディスクマークを表示している。本実施例では、記録媒体の種類マーク３５の色は紫色となっているが、この表示の時には背景色で記録媒体の種類がわかるので他の色でも構わない。
【００３３】
図４は、記録媒体としてカード１１を選択した際に、図２のステップ２１０で表示部１６に表示されるナビ画面を示す。この場合、図２のステップ２０２の判別結果から、選択されている記録媒体の種類はカード１１と判別されるので、ナビ画面全体４１の背景色は緑色になり、記録媒体の種種類マーク４２には緑色のカードマークが表示される。本実施例では、記録媒体の種類マーク３５の色は緑色となっているが、この表示の時には背景色で記録媒体の種類がわかるので他の色でも構わない。
【００３４】
図３と図４からわかるように、記録媒体の種類によりナビ画面の背景色が大きく異なることから、モニタ等の小型の画面を表示部１６とするビデオカメラでナビ画面を表示している際に、記録媒体の種類をアイコン表示のみで示す場合と比べ、選択している記録媒体の種類を、ユーザは色を見て一目で判断することができる。
【００３５】
次に、図２ステップ２０３、２０８において光ディスクまたはカードに記録できない状態であると判別された場合の、ステップ２０７において表示部１６に表示される警告の表示例を図５、図６で説明する。
【００３６】
図５は、例えばステップ２０３においてディスク残量不足で記録不可能と判断された場合に警告として表示する表示画面を示し、「ディスク残量が不足しているため、記録できません」という警告をユーザに表示する。同時に、記録媒体の種類マーク５４には光ディスクを示す紫色のディスクマークを表示している。
【００３７】
図６は、例えばステップ２０８においてディスク残量不足で記録不可能と判断された場合に警告として表示する表示画面を示し、「カード残量が不足しているため、記録できません」という警告をユーザに表示する。同時に、記録媒体の種類マーク６１にはカードを示す緑色のディスクマークを表示している。
【００３８】
なお、図５、図６において、ディスクマークの代わりに警告文を記録媒体の種類に対応した色で表示してもよいし、警告文やマークの色ではなく、背景の色を記録媒体の種類に応じた色にしてもよい。
【００３９】
このように、スルー画においても記録媒体の種類を色により容易に判別できるので使い勝手が向上する。
【００４０】
本実施例では、再生モードの代表画面であるナビ画面の背景色の違いにより、記録媒体の種別をしたが、もちろん記録モードやその他の画面においても画面に表示される記録媒体の種類を表示するためのマーク、文字等の色の違いを用いて記録媒体を区別しても構わない。
【００４１】
本実施例では、ナビ画面の背景色として、記録媒体が光ディスクの際には紫色、カードの際には緑色としたが、当然その他の色の組合せを用いても構わない。
【００４２】
本実施例では、異なる種類の記録媒体として光ディスクとカードをナビ画面の背景色により区別していたが、もちろん、その他の記録媒体、例えばハードディスクや内蔵メモリ等との組合せにおいても、画面に表示される色の違いで記録媒体を区別して構わない。また、光ディスク型記録媒体において異なる場合（例えば、リライタブル型光ディスクのＤＶＤ−ＲＡＭとライトワンス型光ディスクのＤＶＤ−Ｒとの区別など）に関しても画面に表示される色で区別してかまわない。
【００４３】
本実施例にて説明した処理の流れ及び処理方法は一例であり、処理の順序及び処理方法等はこれに限るものではなく、他の順序及び処理方法であっても構わない。
【００４４】
本実施例では、光ディスクとしてＤＶＤ−ＲＡＭ、ＤＶＤ−Ｒ及びＤＶＤビデオで説明したが、これに限るものではなく、例えばＤＶＤ−ＲＷ、ＣＤ−Ｒ、ＣＤ-ＲＷなどの他の種類の光ディスクでも構わない。
【図面の簡単な説明】
【００４５】
【図１】本発明によるカード型記録媒体を搭載した光ディスク記録再生カメラでの一実施例を示す構成図。
【図２】本発明による記録媒体の種類の判別とナビ画面表示までの流れを示した一実施例のフローチャート
【図３】本発明による光ディスク選択時に表示されるナビ画面の一実施例
【図４】本発明によるカード型記録媒体選択時に表示されるナビ画面の一実施例
【図５】本発明による残量不足の光ディスクの装着後に表示される画面の一実施例
【図６】本発明による残量不足のカードの装着後に表示される画面の一実施例
【符号の説明】
【００４６】
１…撮像素子、２…映像信号処理部、３…デジタル映像圧縮部、４…記録処理部、５…入力部、６…ナビ画面表示部、７…記録媒体切替部、８…制御部、９…スイッチ判別部、１０…光ディスク、１１…カード、１２…再生処理部、１３…サムネイル画面データ生成部、１４…デジタル映像伸長部、１５…映像信号データ処理部、１６…表示部。
【図１】
2008300028.tif 000003
【図２】
2008300028.tif 000004
【図３】
2008300028.tif 000005
【図４】
2008300028.tif 000006
【図５】
2008300028.tif 000007
【図６】
2008300028.tif 000008
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
装着された複数種類の記録媒体に対してデータを記録または再生する記録再生手段と、
前記装着された複数種類の記録媒体の内から一つの記録媒体を選択する選択手段と、
前記選択手段により選択された記録媒体に基づいて、データの記録再生の機能を変化させる制御手段とを有する記録再生装置であって、
表示手段に表示させる表示画面の背景色を前記記録再生の機能に対応して設定する表示色設定手段と、
前記選択手段による選択に基づいて、前記表示色設定手段で設定された表示色に従った画面表示信号を生成する表示画面生成手段と、
前記表示画面生成手段により生成された前記画面表示信号を前記表示手段に出力する出力手段と、
を有することを特徴とする記録再生装置。
【請求項２】
請求項１に記載の記録再生装置であって、
前記表示画面生成手段は、静止画又は動画の縮小画像であるサムネイル画像が複数並び、背景の色が前記表示色設定手段で設定された表示色であるサムネイル画面を生成することを特徴とする記録再生装置。
【請求項３】
請求項１乃至２に記載の記録再生装置であって、
前記複数種類の記録媒体には、光ディスクとカード型記録媒体が含まれることを特徴とする記録再生装置。
【請求項４】
装着された複数種類の記録媒体に対してデータを記録、再生し、
前記装着された複数種類の記録媒体の内から一つの記録媒体を選択し、
前記選択した記録媒体に基づいて、データの記録再生の機能を変化させる記録再生方法であって、
前記記録再生の機能に対応する背景色を表示手段に出力することを特徴とする記録再生方法。
【請求項５】
請求項４に記載の記録再生方法であって、
静止画又は動画の縮小画像であるサムネイル画像が複数並び、背景の色が前記選択された記録媒体に対応する色であるサムネイル画面を前記表示手段に表示させることを特徴とする記録再生方法。
【請求項６】
請求項４又は５に記載の記録再生方法であって、
前記複数種類の記録媒体には、光ディスクとカード型記録媒体が含まれることを特徴とする記録再生方法。